(57)【要約】【課題】従来の音声データ出力装置や通信装置では、通話中に相手との通話を切断することなく、録音音声データを聞くことができなかった。【解決手段】復号部９が符号化された二以上の異なる音声データＸ、Ｙを、第１メモリ９ａ、第２メモリ９ｂにフレーム毎に一時的に記憶させながらそれぞれ順次復号化し、混合部１０が復号部９により復号化された異なる音声データＸ、Ｙをフレーム毎に順次混合し、復号部９による復号化及び混合部１０による混合を繰り返し行わせて、混合部１０で混合された二以上の異なる音声データＸ、Ｙをスピーカ１２でフレーム毎に順次出力させるようにした。【選択図】          図１
2005026734.tif 000002
【特許請求の範囲】
【請求項１】
符号化された二以上の異なる音声データをそれぞれ順次復号化する復号部、
この復号部により復号化された上記二以上の異なる音声データを順次混合する混合部、
及び上記復号部による復号化及び上記混合部による混合を繰り返し行わせ、上記混合部で混合された上記二以上の異なる音声データを順次出力させる制御部を備えたことを特徴とする音声データ出力装置。
【請求項２】
スピーカを備え、制御部は、混合部で混合された二以上の異なる音声データを上記スピーカから順次音声出力させることを特徴とする請求項１に記載の音声データ出力装置。
【請求項３】
復号部は複数の記憶部を備え、
符号化された二以上の異なる音声データはフレーム毎に時分割されており、
上記復号部は、上記複数の記憶部に二以上の異なる音声データそれぞれをフレーム毎に順次一時的に記憶させながら、上記二以上の異なるデータそれぞれをフレーム毎に順次復号し、この復号化された二以上の異なる音声データそれぞれをフレーム毎に混合部に入力し、
混合部は、上記復号部から入力される上記復号化された二以上の異なる音声データを、フレーム毎に同期をとって順次混合することを特徴とする請求項１に記載の音声データ出力装置。
【請求項４】
符号化されて記憶された二以上の異なる音声データを互いに関連付けて復号部へ入力する記憶部を備え、
復号部は上記関連付けに従って、上記符号化された二以上の異なる音声データをそれぞれ順次復号化することを特徴とする請求項１に記載の音声データ出力装置。
【請求項５】
符号化された二以上の異なる音声データをそれぞれ順次復号化することができる復号部、
入力される音声を音声データに変換するマイク、
このマイクから入力される音声をデータ変換した音声データと上記復号部で順次復号化された上記二以上の異なる音声データの少なくとも１つとを順次混合する混合部、
この混合部で順次混合された混合音声データを符号化する符号部、
及びこの符号部で符号化された混合音声データをデータ送信する送信部、
及び上記復号部による復号化及び上記混合部による混合を繰り返し行わせ、上記混合音声データを、順次、データ送信させる制御部を備えたことを特徴とする通信装置。
【請求項６】
符号化された音声データを受信する受信部、
符号化して音声データを記憶する記憶部、
上記受信部で受信する符号化された音声データと上記記憶部に符号化して記憶された音声データとを、それぞれ順次復号化する復号部、
この復号部により復号化された音声データを順次混合する混合部、
上記復号部による復号化及び上記混合部による混合を繰り返し行わせ、上記混合部で混合された上記音声データを順次出力させることが可能な制御部を備えたことを特徴とする通信装置。
【請求項７】
復号部が符号化された二以上の異なる音声データを順次復号化し、
混合部が上記復号部により復号化された上記二以上の異なる音声データを順次混合し、
制御部が上記復号部による復号化及び上記混合部による混合を繰り返し行わせ、上記混合部で混合された上記二以上の異なる音声データを順次出力させることを特徴とする音声データ出力方法。
【発明の詳細な説明】
【０００１】
【発明の属する技術分野】
本発明は、音声データを出力する機能を有する携帯電話機、再生機器等の電子機器について、特に符号化された二以上の異なる音声データを混合して出力することが可能な音声データ出力装置、通信装置及び音声データ出力方法に関する。
【０００２】
【従来の技術】
従来の音声データ出力装置として、マイク又は音声再生装置との接続を切り替えるスイッチを備え、通話中にスイッチをマイク接続から音声再生装置接続に切り替えて、予めテープ録音していた伝言内容を通話相手に回線を通じて送出できる無線式録音機能付電話機がある（例えば、特許文献１参照）。
【０００３】
【特許文献１】
特開昭６０−９１７５６号公報（特に、第３頁右下欄第９行〜第１１行、図８−９）
【０００４】
【発明が解決しようとする課題】
特許文献１に掲載された従来の無線式録音機能付電話機では、通話中にスイッチ６１を音声再生装置側に切り替えた場合、送信部７１、フィルタ部７４、及びアンテナ５６と、マイク６０及びスピーカ６４との接続が切断され、マイク５９からの音声出力及びアンテナ５６、送信部７１を介して入力される相手の音声入力が停止され、通話相手に対して自分の音声を送出することができないと共に、相手の音声を聞くことができなかった。
【０００５】
この発明は上記のような課題を解決するためになされたもので、通話中に相手との通話を切断することなく、録音音声データを聞くことができる音声データ出力装置を得ることを目的とする。
【０００６】
【課題を解決するための手段】
この発明の音声データ出力装置は、符号化された二以上の異なる音声データをそれぞれ順次復号化する復号部、
この復号部により復号化された上記二以上の異なる音声データを順次混合する混合部、
及び上記復号部による復号化及び上記混合部による混合を繰り返し行わせ、上記混合部で混合された上記二以上の異なる音声データを順次出力させる制御部から構成されたものである。
【０００７】
【発明の実施の形態】
実施の形態１．
この発明の実施の形態１について、図に基づいて説明する。
【０００８】
図１は本発明の実施の形態１にかかる携帯電話機の内部構成を示す図である。
【０００９】
図１において、マイク１は入力される音声を音声データに変換する。アナログデジタル変換部（以下、Ａ／Ｄ変換部と称する）２はマイク１によって変換された音声データをアナログデジタル変換してＰＣＭ（パルス符号変調（ＰｕｌｓｅＣｏｄｅ  Ｍｏｄｕｌａｔｉｏｎ））音声データを生成する。符号部３は、例えば第三世代移動体通信の標準化団体の３ＧＰＰ（３ｒｄ  Ｇｅｎｅｒａｔｉｏｎ  Ｐａｒｔｎｅｒｓｈｉｐ  Ｐｒｏｊｅｃｔ）が策定した標準音声符号化方式であるＧＳＭ（Ｇｌｏｂａｌ  Ｓｙｓｔｅｍ  ｆｏｒ  Ｍｏｂｉｌｅ）−ＡＭＲ（Ａｄｐｔｉｖｅ  Ｍｕｌｔｉ−Ｒａｔｅ）方式で定められた所定処理に従ってＰＣＭ音声データを符号化する。ＭＯＤ（Ｍｏｄｕｌａｔｉｏｎ）４は符号化された音声データを３ＧＰＰの仕様に従い変調する。送受信部５は３ＧＰＰの仕様に従い変調された音声データを、アンテナ６を介して、電波に乗せて公衆回線に送出する。
【００１０】
また、送受信部５はアンテナ６から入力される電波に乗せられた通話相手の音声データ（以下、音声データＸと称する）を、ＤＥＭＯＤ（Ｄｅｍｏｄｕｌａｔｉｏｎ）７に入力する。ＤＥＭＯＤ７は３ＧＰＰの仕様で定められた所定処理に従って音声データＸをデータ復調する。記憶部８は音声データＸとは異なる種類の音声（以下、音声データＹと称する）をＧＳＭ−ＡＭＲ方式で圧縮して、録音データ８ａとして記憶することができる。詳しくは、マイク１から入力される音声については、符号部３でＧＳＭ−ＡＭＲ方式でデータ圧縮された音声データを、後述のＣＯＤＥＣ部１３を介して、記憶部８に録音データ８ａとして記憶することができる。また、アンテナ６から入力される通話相手の音声は、ＤＥＭＯＤ７を介してＧＳＭ−ＡＭＲ方式に復調された音声データを、記憶部８に記憶データ８ａとして記憶することができる。また、記憶部８は外部インターフェイスを介して、直接、音声データをＧＳＭ−ＡＭＲ方式に圧縮して録音データ８ａとして記憶することができる。復号部９は第１メモリ９ａ及び第２メモリ９ｂを備え、復調された音声データＸを第１メモリ９ａに、録音データ８ａ内の音声データＹを第２メモリ９ｂに、順次フレーム毎に一時的に記憶させながら、互いに異なる音声データＸ及び音声データＹをそれぞれフレーム毎に順次復号し、ＰＣＭ音声データに変換して、混合部１０にフレーム毎に同期をとって入力する。混合部１０は復号部９でＰＣＭ音声データに復号された音声データＸ及び音声データＹを、フレーム毎に同期をとって混合し、混合音声データＭをフレーム毎に出力する。デジタルアナログ変換部（以下、Ｄ／Ａ変換部と称する）１１は混合部１０から入力された音声データＸ及びＹの混合データＭをデジタルからアナログに変換し、スピーカ１２はアナログ化された混合音声データを音声出力する。
【００１１】
ＣＯＤＥＣ部１３は符号部３及び復号部９で構成され、ＭＯＤＥＭ部１４はＭＯＤ４及びＤＥＭＯＤ７で構成される。操作部１３は、使用者が携帯電話機に対して所定の処理命令信号を入力するために用いられる。制御部１５は操作部１３で入力された内容等を、使用者に伝達するために表示部１４の表示画面に表示させる。制御部１５はＣＯＤＥＣ部１３、ＭＯＤＥＭ部１４、送受信部５、記憶部８、操作部１６、及び表示部１７を制御データの送受を介して制御する。又、制御部１５は復号部９による復号化及び混合部１０による混合を繰り返し行なわせ、混合部１０で混合された混合音声データを、順次スピーカ１２から音声出力させる。
【００１２】
次に、この発明の実施の形態１にかかる携帯電話機の復号処理及び混合処理について、図に基づいて説明する。
【００１３】
図２は実施の形態１にかかる携帯電話機の復号部の処理フローを示す図である。
【００１４】
図３〜図９は携帯電話機の復号部の処理を示す図である。
【００１５】
図１０（ａ）〜（ｅ）は携帯電話機の復号部及び混合部の処理タイミングを示す図である。
【００１６】
図３において、図１で示したアンテナ６及び送受信部５を介して入力され、ＤＥＭＯＤ７で変調拡張された音声データＸが復号部９にＡ、Ｂ、Ｃ、Ｄ、……の複数のフレームに時分割されて入力される。又、同時に音声データＹが復号部９により記憶部８からａ、ｂ、ｃ、ｄ、……の複数のフレームに時分割されて読み出しされる。図１０（ａ）、（ｂ）において、音声データＸ及びＹは２０ｍｓｅｃ周期で入力又は読み出し処理されている。又、図１０（ｃ）に示されるように音声データＸ及びＹの復号処理時間を５ｍｓｅｃとし、これに合わせて音声データＸの入力から５ｍｓｅｃ遅れて行なわれるように設定されている。これらの設定値は便宜、変更可能のものとする。
【００１７】
復号部９は、入力された音声データＸ、Ｙの各フレームを、Ａ、ａ、Ｂ、ｂ、Ｃ、ｃ、……の順にそれぞれ順次復号化する。以下の説明では、フレームＡの復号処理（Ｄｅｃｏｄｉｎｇ（以下、ＤＥＣと称する））を「音声データＸのＤＥＣ１回目」、フレームａのＤＥＣを「音声データＹのＤＥＣ１回目」、フレームＢのＤＥＣを「音声データＸのＤＥＣ２回目」、フレームｂのＤＥＣを「音声データＹのＤＥＣ２回目」…と定義し、これ以降のＤＥＣについても同様に定義する。
【００１８】
図２において、復号部９は、ＤＥＣ開始後（ＳＴ０）、まず、「音声データＸのＤＥＣ１回目」の処理を行なう。
【００１９】
「音声データＸのＤＥＣ１回目」の処理について、説明する。
【００２０】
図２において、複合器９はまず、ＤＥＣの最中であるかについて、音声データＸのＤＥＣ１回目用の音声データが第１メモリ９ａに記憶設定されているか否かで確認する（ステップ（以下、ＳＴと称する）１）。このとき、復号部９は図３で示す状態となっており、復号部９は未初期化状態で停止中であり、第１メモリ９ａには何も記憶設定されていないため、複合器９は図４のように第１メモリ９ａを初期化する（ＳＴ２）。
【００２１】
次に、具体的な「音声データＸのＤＥＣ１回目」の処理として、図４に示すように、復号部９は音声データＸのフレームＡを取り込んで復号化して（ＳＴ４）、フレームＡのＰＣＭ音声データを生成し、図５のように復号後のフレームＡのＰＣＭ音声データを混合部１０へ出力する（ＳＴ５）。
【００２２】
混合部１０はこの音声データＸのフレームＡのＰＣＭ音声データを一時的にバッファ（図示しない）に記憶する。
【００２３】
次に、復号部９は、音声データＸのフレームＡに続くフレームＢの復号化（「音声データＸのＤＥＣ２回目」の処理）のため、復号後のフレームＡのＰＣＭ音声データを図５に示すように第１メモリ９ａに一時的に記憶設定しメモリ退避させる（ＳＴ６）。
【００２４】
次に、復号部９は、既に復号化した音声データＸとは異なる音声データが更にあるか否かを確認する（ＳＴ７）。復号部９は、音声データＸと異なる音声データＹがあることを確認すると、音声データＹのフレームａの音声データに対しても「音声データＹのＤＥＣ１回目」としてＳＴ１〜ＳＴ６の処理を繰り返す。一方、音声データＸと異なる音声データがない場合には、後述のＳＴ８へステップする。
【００２５】
次に、「音声データＹのＤＥＣ１回目」の処理について説明する。
【００２６】
図２において、復号部９は、図６に示すように第２メモリ９ｂに「音声データＹのＤＥＣ１回目」用のデータが記憶設定されていないことを確認して（ＳＴ１）、第２メモリ９ｂを初期化する（ＳＴ３）。
【００２７】
次に、復号部９は、図６に示すように音声データＹのフレームａの音声データを復号部９に取り込んで復号化して（ＳＴ４）、図７に示すように復号後のフレームａのＰＣＭ音声データを混合部１０へ出力する（ＳＴ５）。
【００２８】
ここで、混合部１０は、フレームａのＰＣＭ音声データを一時的にバッファに記憶し、先に記憶されているフレームＡのＰＣＭ音声データと共に、図１０（ｄ）に示すように同期をとって同時に混合（ミキシング）処理をして、混合音声データＭ（Ａａ）を生成する。混合（ミキシング）時間は設計値として５ｍｓｅｃとしているが、変更可能なものとする。そして、この生成された混合音声データＭ（Ａａ）はＤ／Ａ変換部１１を介して２０ｍｓｅｃまで拡張されて、混合音声（Ｂ＋ｂ）として、フレーム毎に同期をとってスピーカ１２から音声出力される。
【００２９】
次に、復号部９は、図７に示すように、フレームＡに続くフレームＢの復号化（「音声データＹのＤＥＣ２回目」の処理）のため、復号後の音声データＹのフレームａを図７に示すように一次的に記憶設定しメモリ退避させる（ＳＴ６）。
【００３０】
次に、復号部９は、既に復号化した音声データＸ及びＹと異なる音声データが更にないかを確認し（ＳＴ７）、更に異なる音声データがないことを確認すると、既に復号化した「音声データＸ及びＹのＤＥＣ２回目」用の音声データ（図３で示すフレームＢ及びｂの音声データのこと）の有無を確認する（ＳＴ８）。これでまず、「音声データＸ及びＹのＤＥＣ１回目」が完了する。
【００３１】
ＳＴ７で、異なる音声データが更にある場合には、再度、「音声データＸのＤＥＣ１回目」と同様の処理ＳＴ１〜ＳＴ６を繰り返す。
【００３２】
一方、復号部９が異なる音声データがないことを確認すると（ＳＴ７）、次に、復号部９は後述の「音声データＸのＤＥＣ２回目」の処理を行なう（ＳＴ８）。
【００３３】
復号部９は、図１０（ａ）で示されるようにフレームＡから２０ｍｓ遅れて入力される音声データＸのフレームＢを確認すると（ＳＴ８）、「音声データＸの２回目」の処理を「音声データＸのＤＥＣ１回目」と同様の処理ＳＴ１〜ＳＴ６を繰り返す。
【００３４】
次に、「音声データＸの２回目」の処理について説明する。
【００３５】
図７に示されるように第１メモリ９ａには音声データＸのフレームＡが記憶設定されてメモリ退避されているため、復号部９は第１メモリ９ａに「音声データＸのＤＥＣ２回目」用のデータ設定があると認識し（ＳＴ１）、図８に示されるように「音声データＸのＤＥＣ２回目」の処理用に「音声データＸの１回目」の処理で記憶したフレームＡのＰＣＭ音声データを読み込む（ＳＴ３）。
【００３６】
ここで、復号部９は、フレームＡのＰＣＭ音声データの情報を確認しながら音声が連続的になるように、入力されるフレームＢの音声データＸを復号化する「音声データＸのＤＥＣ２回目」の処理を行ない（ＳＴ４）、図９に示すように復号後のフレームＢのＰＣＭ音声データを混合部１０へ出力する（ＳＴ５）。そして、復号部９は図９に示すようにフレームＣの「音声データＸのＤＥＣ３回目」の処理用に、フレームＢのＰＣＭ音声データを第１メモリ９ａに上書き記憶してメモリ退避させる（ＳＴ６）。
【００３７】
混合部１０はこのフレームＢのＰＣＭ音声データを一時的にバッファに記憶する。
【００３８】
次に、復号部９はＸ、Ｙ以外に異種類の音声データがないかを確認し、音声データＹがあることを確認すると（ＳＴ７）、「音声データＹのＤＥＣ２回目」の処理を「音声データＹのＤＥＣ１回目」と同様の処理ＳＴ１〜６を繰り返す。
【００３９】
一方、復号部９が異種類の音声データがないことを確認すると（ＳＴ７）、次に、復号部９は「音声データＸのＤＥＣ３回目」用の音声データＸのフレームＣがあるか否かを確認する（ＳＴ８）。
【００４０】
次に、「音声データＹのＤＥＣ２回目」の処理について説明する。
【００４１】
図９に示されるように、第２メモリ９ｂにはフレームａのＰＣＭ音声データが一時的に記憶設定されているため、復号部９は第１メモリ９ｂに「音声データＹのＤＥＣ２回目」用のデータ設定があると認識し（ＳＴ１）、「音声データＹのＤＥＣ２回目」の処理用に「音声データＹの１回目」の処理で記憶したフレームａのＰＣＭ音声データを読み込む（ＳＴ３）。
【００４２】
復号部９はフレームａのＰＣＭ音声データを確認しながら音声が連続的になるように、入力されるフレームｂの音声データＹを復号部９で復号化する「音声データＹのＤＥＣ２回目」の処理を行ない（ＳＴ４）、復号後のフレームｂのＰＣＭ音声データを混合部１０へ出力して（ＳＴ５）、「音声データＹのＤＥＣ３回目」の処理用に、フレームｂのＰＣＭ音声データを第１メモリ９ｂに上書き記憶して、メモリ退避させる（ＳＴ６）。
【００４３】
混合部１０は、フレームｂのＰＣＭ音声データを一時的にバッファに記憶し、先に記憶されているフレームＢのＰＣＭ音声データと共に、図６に示すようにフレーム毎に同期をとって同時に混合（ミキシング）処理をして、先のＭ（Ａａ）の生成から２０ｍｓｅｃ遅れて約５ｍｓｅｃの混合音声データＭ（Ｂｂ）をフレーム毎に生成する。そして、この混合音声データＭ（Ｂｂ）は制御部１５の指示によりＤ／Ａ変換部１１を介して２０ｍｓｅｃまで拡張されて、先の混合音声（Ａ＋ａ）の音声に連続した混合音声（Ｂ＋ｂ）として、スピーカ１２から声出力される。なお、図６に示されるミキシング処理の周期を２０ｍｓｅｃとしたが、設計により自由に変更可能である。
【００４４】
このようにして、復号部９は、音声データＸのフレームＡ、Ｂ、Ｃ、…及び音声データＹのフレームａ、ｂ、ｃ、…を順次交互に復号し、混合部１０は復号後のＰＣＭ音声データを、（Ａａ）、（Ｂｂ）、（Ｃｃ）…各フレーム毎に順次混合し、混合音声データＭ（Ａａ）、Ｍ（Ｂｂ）、Ｍ（Ｃｃ）…を順次生成し、制御部１５がこの生成された混合音声データＭ（Ａａ）、Ｍ（Ｂｂ）、Ｍ（Ｃｃ）…を、Ｄ／Ａ変換部１１を介して、フレーム毎に混合音声（Ａ＋ａ）、（Ｂ＋ｂ）、（Ｃ＋ｃ）…としてスピーカ１２から音声データＸ及びＹの混合音声として出力する。
【００４５】
以上のように、この発明にかかる音声データ出力装置は、復号部９が符号化された二以上の異なる音声データＸ、Ｙをそれぞれ順次復号化し、混合部１０が復号部９により復号化された異なる音声データＸ、Ｙをフレーム毎に順次混合し、復号部９による復号化及び混合部１０による混合を繰り返し行わせて、混合部１０で混合された二以上の異なる音声データＸ、Ｙをフレーム毎に順次出力させるようにしたので、例えば、別々に入力される複数人の音声を混合して同時出力させることができる。
【００４６】
また、この発明にかかる通信装置は、復号部９が符号化された二以上の異なる音声データＸ（アンテナ６、送受信部５、及びＤＥＭＯＤ７を介して入力される通話中の相手の音声）、音声データＹ（記憶部８に記憶された録音データ８ａの録音音声）をそれぞれ順次復号化し、混合部１０が復号部９により復号化された二以上の異なる音声データＸ、Ｙを順次混合し、復号部９による復号化及び混合部１０による混合を繰り返し行わせて、混合部１０で混合された二以上の異なる音声データＸ、Ｙを順次出力させるようにしたので、通話中の相手の音声Ｘを切断することなく、音声Ｘと異なる録音音声Ｙを聞くことができる。
【００４７】
実施の形態２．
この発明の実施の形態２について、図に基づいて説明する。
【００４８】
図１１は本発明の実施の形態２にかかる携帯電話機の内部構成を示す図である。
【００４９】
図１１において、図１と異なる点として、混合部１０ｂがＡ／Ｄ変換部２及び符号部３間に新たに設けられている。混合部１０ａは図１のものと同一のものである。
【００５０】
次に、図に基づいて動作説明をする。
【００５１】
復号部９はアンテナ６から送受信部５、ＤＥＭＯＤ７を介して入力された通話相手の音声と、記憶部８に記憶データ８ａとして記憶されている音声とを、フレーム毎にそれぞれＰＣＭ音声データとして出力する。復号部９は、実施の形態１で説明したようにＰＣＭ音声データに変換された、通話相手の音声データＸ及び録音データ８ａの音声データＹを、フレーム毎に混合部１０ａへ出力し、混合部１０ａでフレーム毎に同期付けして混合された混合音声データＭが同期付けされてＤ／Ａ変換部１１を介してスピーカ１２からフレーム毎に出力される。また、復号部９は、記憶部８に記憶データ８ａとして記憶されているＰＣＭの音声データＹを、フレーム毎に混合部１０ｂに入力する。
【００５２】
混合部１０ｂは、マイク１からＡ／Ｄ変換部２を介して入力される音声データ（音声データＺとする）と、復号部９から入力される音声データＹとをフレーム毎に同期をとって順次混合し、混合音声データＭ（ＹＺ）を生成し、符号部３へ出力する。ここで、音声データＺと混合させるのを音声データＸとしたが、音声データＹでもよく、音声データＸ及びＹのうち少なくとも１つの音声データで構わない。符号部３は混合音声Ｍ（ＹＺ）のＰＣＭ音声データを符号化し、ＭＯＤ４へ出力する。ＭＯＤ４は符号化後の音声データＭ（ＹＺ）をＧＳＭ−ＡＭＲ方式で定められた所定処理に従ってデータ圧縮変調し、送受信部５へ出力する。送受信部５はＧＳＭ−ＡＭＲ方式でデータ圧縮変調された音声データＭ（ＹＺ）を、フレーム毎にアンテナ６を介して、電波に乗せて公衆回線に送出する。
【００５３】
制御部１５は復号部９、混合部１０ａ、１０ｂ、符号部３、ＭＯＤ４、送受信部５、及びアンテナ６の制御を行ない、復号部９による復号化及び混合部１０ｂによる混合をフレーム毎に繰り返し行わせ、混合音声データＭ（ＹＺ）を、フレーム毎に順次、送受信部５及びアンテナ６を介して公衆回線に接続してデータ送信する。そして、通話相手側の携帯電話機では、混合データＭ（ＹＺ）を受信した後、所定の復号処理等をして、スピーカから出力する。
【００５４】
以上のように、この発明にかかる通信装置は、復号部９が符号化された音声データＸ（アンテナ６、送受信部５、及びＤＥＭＯＤ７を介して入力される通話中の相手の音声）、Ｙ（記憶部８に記憶された録音データ８ａの録音音声）をフレーム毎にそれぞれ順次復号化し、このうちの少なくとも１つである音声データＹと、マイク１から入力される音声データＺとを順次、フレーム毎に同期をとって混合し、混合後の音声データＭ（ＹＺ）を符号化する処理を制御部１５の制御により繰り返し行ない、送受信部５により公衆回線に接続してフレーム毎にデータ送信するようにしたので、自己の音声Ｚ及びこれと異なる録音音声Ｙを混合させて、通話相手にへ向けて公衆回線に接続して通話相手に対してデータ送信することができ、通話相手は二以上の異なる音声Ｙ及びＺを同時に聞くことができる。
【００５５】
実施の形態３．
この発明の実施の形態３について、図に基づいて説明する。
【００５６】
図１２は本発明の実施の形態３にかかる携帯電話機の内部構成を示す図である。
【００５７】
図１２において、図１と異なる点として、記憶部８は複数の異なる音声データを時分割してフレーム毎に録音データＳ  ８ａ及び録音データＴ  ８ｂとして互いに関連つけして入力して記憶することができる。両録音データの関連付けには、各々の録音データのヘッダ部分に例えば識別用データを付加して対応することができる。同様にして、更に三以上の異なる音声データも記録できるが、便宜上、以下の動作説明では２種類として説明する。
【００５８】
次に、図に基づいて動作説明をする。
【００５９】
復号部９は、記憶部８に記憶された録音データＳ  ８ａ及び録音データＴ  ８ｂをデータのヘッダ部に書き込まれた識別用データによる関連付けに従って、フレーム毎に取り込んで、入力された録音データＳ、Ｔの各フレームを、フレーム毎にそれぞれ順次復号化する。具体的には、実施の形態１で説明したように、録音データＳの各フレームをＡ、Ｂ、Ｃ、…、録音データＴの各フレームをａ、ｂ、ｃ、…とした場合、Ａ、ａ、Ｂ、ｂ、Ｃ、ｃ、……の順にフレーム毎にそれぞれ順次復号化する。そして、実施の形態１での説明内容と同様に、復号部９は第１メモリ９ａ及び第２メモリ９ｂを用い、録音データＳを第１メモリ９ａに、録音データＴを第２メモリ９ｂに、フレーム毎に順次一時的に記憶させながら、互いに異なる録音データＳ及び録音データＴをそれぞれ順次復号し、ＰＣＭ音声データに変換して、フレーム毎に混合部１０にとって入力する。混合部１０は復号部８でＰＣＭ音声データに復号された録音データＳ及び録音データＴを、フレーム毎に同期をとって混合し、混合音声データＭ（ＳＴ）をフレーム毎にＭ（Ａａ）、Ｍ（Ｂｂ）、…と出力し、Ｄ／Ａ変換部１１は混合部１０から入力された録音データＳ及びＴの混合データＭ（ＳＴ）をデジタルからアナログに変換し、スピーカ１２はアナログ化された混合音声データをフレーム毎に音声出力する。
【００６０】
以上のように、この発明にかかるデータ出力装置は、復号部９が記憶部８に互いに関連付けられて記憶された二以上の異なる録音データＳ、Ｔを、記憶部８でなされた関連付けに従って、それぞれフレーム毎に順次復号し、復号化された異種の録音データＳ、Ｔをフレーム毎に同期付けて混合部１０へ入力することができるので、記憶部８に記憶する二以上の異なる録音データを同時に再生することができる。
【００６１】
【発明の効果】
以上のように、この発明にかかる音声データ出力装置は、復号部が符号化された二以上の異なる音声データをそれぞれ順次復号化し、混合部が復号部により復号化された二以上の異なる音声データを順次混合し、復号部による復号化及び混合部による混合を繰り返し行わせて、混合部で混合された二以上の異なる音声データを順次出力させるようにしたので、例えば、別々に入力される複数人の音声をフレーム毎に混合して同時出力させることができる。
【図面の簡単な説明】
【図１】本発明の実施の形態１にかかる携帯電話機の内部構成を示す図である。
【図２】実施の形態１にかかる携帯電話機の復号部の処理を示す図である。
【図３】携帯電話機の復号部の処理を示す図である。
【図４】携帯電話機の復号部の処理を示す図である。
【図５】携帯電話機の復号部の処理を示す図である。
【図６】携帯電話機の復号部の処理を示す図である。
【図７】携帯電話機の復号部の処理を示す図である。
【図８】携帯電話機の復号部の処理を示す図である。
【図９】携帯電話機の復号部の処理を示す図である。
【図１０】携帯電話機の復号部及び混合部の処理タイミングを示す図である。
【図１１】本発明の実施の形態２にかかる携帯電話機の内部構成を示す図である。
【図１２】本発明の実施の形態３にかかる携帯電話機の内部構成を示す図である。
【符号の説明】
１  マイク、  ２  Ａ／Ｄ変換部、  ３  符号部、  ４  ＭＯＤ、  ５  送受信部、  ６  アンテナ、  ７  ＤＥＭＯＤ、  ８  記憶部、  ８ａ、８ｂ  録音データ、  ９  復号部、  １０、１０ａ、１０ｂ  混合部、１１  Ｄ／Ａ変換部、  １２  スピーカ、  １３  ＣＯＤＥＣ部、  １４  ＭＯＤＥＭ部、  １３  操作部、  １４  表示部、  １５  制御部、  １６  表示部、  １７  操作部。
【図１】
2005026734.tif 000003
【図２】
2005026734.tif 000004
【図３】
2005026734.tif 000005
【図４】
2005026734.tif 000006
【図５】
2005026734.tif 000007
【図６】
2005026734.tif 000008
【図７】
2005026734.tif 000009
【図８】
2005026734.tif 000010
【図９】
2005026734.tif 000011
【図１０】
2005026734.tif 000012
【図１１】
2005026734.tif 000013
【図１２】
2005026734.tif 000014